(57)【要約】      （修正有）【課題】シンプルでコンパクトな形態で設置し易く且つ種々の形態や大きさのポンプボトルに容易に対応できるポンプボトル用足踏み操作機を提供する。【解決手段】ポンプボトルを対応するように設けられた支柱２０と、プッシュ部３１が設けられ、回動することでポンプボトルの操作部を押圧するプッシュアーム３０と、ポンプボトルの操作部を押圧しない状態に戻す復帰バネ４０と、支柱の長さ方向に位置調整可能に保持され、プッシュアームを回動可能に支持するプッシュアーム支持体５０と、プッシュアームとの間に配される復帰バネを弾発力が生じる状態に支持する復帰バネ支持部５５と、踏み板６１が、踏み板支持部６２によって回動可能に支持された足踏み操作部６０と、一方がプッシュアームに固定され、他方が踏み板に固定されているリンクケーブル７０とを備える。【選択図】図１
0003230545.tif 000002
【実用新案登録請求の範囲】
【請求項１】
足踏み動作で生じるプッシュ部の押圧力によって、ポンプボトルの操作部を押圧することで、ポンプ動作をさせるポンプボトル用足踏み操作機において、
ポンプボトルに対応するように設けられた支柱と、
前記プッシュ部が設けられ、回動することで前記ポンプボトルの操作部を押圧するプッシュアームと、
該プッシュアームにかかる動作力が解除された際に、前記プッシュ部が前記ポンプボトルの操作部を押圧しない状態に戻す復帰バネと、
前記支柱の長さ方向において位置調整可能に保持され、前記プッシュアームを回動可能に支持するアーム支持部を備えると共に、前記プッシュアームとの間に配される前記復帰バネを弾発力が生じる状態に保持する復帰バネ支持部を備えるプッシュアーム支持体と、
踏み板が、踏み板支持部によって回動可能に支持された足踏み操作部と、
アウターチューブと該アウターチューブに挿通されたワイヤーとを有し、一方のワイヤーエンドが前記プッシュアームに固定され、他方のワイヤーエンドが前記踏み板に固定されているリンクケーブルとを備えることを特徴とするポンプボトル用足踏み操作機。
【請求項２】
前記復帰バネ支持部が、前記支柱の長さ方向における前記プッシュアーム支持体のアーム支持部に隣接する位置において位置調整可能に別体に設けられていることを特徴とする請求項１記載のポンプボトル用足踏み操作機。
【請求項３】
前記復帰バネがコイルスプリングであって、前記リンクケーブルの前記一方のワイヤーエンド側の前記ワイヤーが前記コイルスプリングの中心の空間に挿通されて配されていることを特徴とする請求項１又は２記載のポンプボトル用足踏み操作機。
【請求項４】
前記プッシュアーム支持体の前記アーム支持部及び前記復帰バネ支持部は、前記支柱の長さ方向において位置調整可能に、前記支柱に沿って移動できるように該支柱に外嵌する環状部を備えていることを特徴とする請求項１〜３のいずれかに記載のポンプボトル用足踏み操作機。
【請求項５】
前記支柱が角柱によって設けられ、前記プッシュアーム支持体の前記アーム支持部及び前記復帰バネ支持部の前記環状部が、前記支柱に外嵌する角筒状の角柱によって設けられていることを特徴とする請求項４記載のポンプボトル用足踏み操作機。
【請求項６】
前記支柱が、前記ポンプボトルが載置される台座に立設された状態に設けられていることを特徴とする請求項１〜５のいずれかに記載のポンプボトル用足踏み操作機。
【請求項７】
前記支柱を支持するベース支持体が設けられ、該ベース支持体に、テーブルを構成する板状縁部に固定することができるクランプが設けられていることを特徴とする請求項１〜５のいずれかに記載のポンプボトル用足踏み操作機。
【請求項８】
前記支柱に、前記ポンプボトルを保持するボトル保持体が装着されていることを特徴とする請求項１〜７のいずれかに記載のポンプボトル用足踏み操作機。
【考案の詳細な説明】
【技術分野】
【０００１】
この考案は、足踏み動作で生じるプッシュ部の押圧力によって、ポンプボトルの操作部を押圧することで、ポンプ動作をさせるポンプボトル用足踏み操作機に関する。
【背景技術】
【０００２】
従来のポンプボトル用足踏み操作機としては、例えば、スタンド形状であって、形態の異なる複数種類の消毒液ボトルを載置可能なトレイと、このトレイに載置された消毒液ボトルの操作ヘッドを押圧操作するための押圧体と、この押圧体よりも下方に配設された足踏みペダルと、この足踏みペダルに加えられる踏み込み動作を前記押圧体の前記操作ヘッドを押圧する動作に変換する動作変換機構とを具備してなるものであって、前記押圧体が、前記操作ヘッドの頂部を押圧する天壁と、前記操作ヘッドの前後左右のうち少なくとも三方への移動を規制する規制壁とを具備してなり、これら規制壁の少なくとも１つに前記操作ヘッドから延出するノズルを挿通させるための開口が設けられている（特許文献１参照）ものが提案されている。
【０００３】
また、従来のポンプボトル用足踏み操作機としては、例えば、ワイヤーで作動させるものであって、流体を収容する容器と該容器から流体を取り出すポンプとからなるポンプ容器に用いる操作具であって、上記ポンプの操作部に当接し、該ポンプの操作方向に移動可能な操作部当接片と、足踏みペダルと、上記操作部当接片と上記足踏みペダルとに連結されたケーブルとを備えるポンプ容器用操作具（特許文献２参照）が提案されている。
【先行技術文献】
【特許文献】
【０００４】
【特許文献１】特開２０１１−１１０２５２号公報（第１頁）
【特許文献２】実開平０３−５３５００号公報（第１頁）
【考案の概要】
【考案が解決しようとする課題】
【０００５】
ポンプボトル用足踏み操作機に関して解決しようとする問題点は、従来のポンプボトル用足踏み操作機では、スタンド形状のものでは支柱が長くなって全体装置が大型化するため設置しにくい場合があり、ワイヤーで作動させるものでは特許文献２に示されたもののように構造が複雑になると共に種々の形態や大きさのポンプボトルに容易に対応できるものが提案されていない点にある。
【０００６】
そこで本考案の目的は、ワイヤーを用いて作動させるもので、シンプルでコンパクトな形態で設置し易く且つ種々の形態や大きさのポンプボトルに容易に対応できるポンプボトル用足踏み操作機を提供することにある。
【課題を解決するための手段】
【０００７】
本考案は、上記目的を達成するために次の構成を備える。
本考案に係るポンプボトル用足踏み操作機の一形態によれば、足踏み動作で生じるプッシュ部の押圧力によって、ポンプボトルの操作部を押圧することで、ポンプ動作をさせるポンプボトル用足踏み操作機において、ポンプボトルに対応するように設けられた支柱と、前記プッシュ部が設けられ、回動することで前記ポンプボトルの操作部を押圧するプッシュアームと、該プッシュアームにかかる動作力が解除された際に、前記プッシュ部が前記ポンプボトルの操作部を押圧しない状態に戻す復帰バネと、前記支柱の長さ方向において位置調整可能に保持され、前記プッシュアームを回動可能に支持するアーム支持部を備えると共に、前記プッシュアームとの間に配される前記復帰バネを弾発力が生じる状態に保持する復帰バネ支持部を備えるプッシュアーム支持体と、踏み板が、踏み板支持部によって回動可能に支持された足踏み操作部と、アウターチューブと該アウターチューブに挿通されたワイヤーとを有し、一方のワイヤーエンドが前記プッシュアームに固定され、他方のワイヤーエンドが前記踏み板に固定されているリンクケーブルとを備える。
【０００８】
本考案に係るポンプボトル用足踏み操作機の一形態によれば、前記復帰バネ支持部が、前記支柱の長さ方向における前記プッシュアーム支持体のアーム支持部に隣接する位置において位置調整可能に別体に設けられていることを特徴とすることができる。
【０００９】
本考案に係るポンプボトル用足踏み操作機の一形態によれば、前記復帰バネがコイルスプリングであって、前記リンクケーブルの前記一方のワイヤーエンド側の前記ワイヤーが前記コイルスプリングの中心の空間に挿通されて配されていることを特徴とすることができる。
【００１０】
本考案に係るポンプボトル用足踏み操作機の一形態によれば、前記プッシュアーム支持体の前記アーム支持部及び前記復帰バネ支持部は、前記支柱の長さ方向において位置調整可能に、前記支柱に沿って移動できるように該支柱に外嵌する環状部を備えていることを特徴とすることができる。
【００１１】
本考案に係るポンプボトル用足踏み操作機の一形態によれば、前記支柱が角柱によって設けられ、前記プッシュアーム支持体の前記アーム支持部及び前記復帰バネ支持部の前記環状部が、前記支柱に外嵌する角筒状の角柱によって設けられていることを特徴とすることができる。
【００１２】
本考案に係るポンプボトル用足踏み操作機の一形態によれば、前記支柱が、前記ポンプボトルが載置される台座に立設された状態に設けられていることを特徴とすることができる。
【００１３】
本考案に係るポンプボトル用足踏み操作機の一形態によれば、前記支柱を支持するベース支持体が設けられ、該ベース支持体に、テーブルを構成する板状縁部に固定することができるクランプが設けられていることを特徴とすることができる。
【００１４】
本考案に係るポンプボトル用足踏み操作機の一形態によれば、前記支柱に、前記ポンプボトルを保持するボトル保持体が装着されていることを特徴とすることができる。
【考案の効果】
【００１５】
本考案に係るポンプボトル用足踏み操作機によれば、シンプルでコンパクトな形態で設置し易く且つ種々の形態や大きさのポンプボトルに容易に対応できるという特別有利な効果を奏する。
【図面の簡単な説明】
【００１６】
【図１】本考案に係るポンプボトル用足踏み操作機の形態例を示す側面図である。
【図２】図１の形態例を示す正面図である。
【図３】図１の形態例を示す平面図である。
【図４】図１の形態例とプッシュアーム支持体のアーム支持部及び復帰バネ支持部が別体に設けられた形態例を示す部分断面図である。
【図５】本考案に係るポンプボトル用足踏み操作機の他の形態例を示す側面図である。
【図６】図５の形態例を示す背面図である。
【図７】図５の形態例を示す平面図である。
【図８】図５の形態例を示すＢ矢視図である。
【考案を実施するための形態】
【００１７】
以下、本考案に係るポンプボトル用足踏み操作機の形態例を、添付図面（図１〜８）に基づいて詳細に説明する。
【００１８】
本考案に係るポンプボトル用足踏み操作機は、足踏み動作で生じるプッシュ部３１の押圧力によって、ポンプボトル１０（図４〜８参照）の操作部１１を押圧することで、ポンプ動作をさせるものである。このポンプボトル用足踏み操作機は、例えばコロナウィルスの手指の消毒のためにポンプボトル１０に入れられたアルコールなどの消毒液をポンプの動作で噴霧などによって吐出させる場合や、汚れた手指を洗う際にポンプボトル１０に入れられた液状の石鹸をポンプの動作で吐出させる場合などに用いることができる。
【００１９】
２０は支柱であり、ポンプボトル１０に対応するように設けられている。図示した形態例の支柱２０においては、角柱の材料によって形成されている。この支柱２０によれば、以下に説明するポンプボトル１０の操作部１１を押圧するための機構が装着されて支持される基部になっている。
【００２０】
３０はプッシュアームであり、プッシュ部３１が設けられ、回動することでポンプボトル１０の操作部１１を押圧するように設けられている。図１〜４に示す形態例では、このプッシュアーム３０が、その後端部で回動軸５１によって後述するプッシュアーム支持体５０に回動可能に軸着されており、その先端部がプッシュ部３１として構成されている。なお、図１〜４に示す形態例のプッシュ部３１は、プッシュアーム３０の本体とは別体に設けられており、そのプッシュアーム３０の本体の先端側に長手方向及び左右回動角度方向へ変位可能に、蝶ボルト３２を用いて固定できる構成になっている。
【００２１】
４０は復帰バネであり、プッシュアーム３０にかかる動作力が解除された際に、プッシュ部３１がポンプボトル１０の操作部１１を押圧しない状態に戻すように設けられている。この復帰バネ４０は、図示した形態例では、つる巻ばね（コイルスプリング）によって構成されているが、これに限らず、他の弾性部材や弾性手段を適宜選択的に用いることも可能である。
【００２２】
５０はプッシュアーム支持体であり、支柱２０の長さ方向において位置調整可能に保持され、プッシュアーム３０を回動可能に支持するアーム支持部５２を備えると共に、プッシュアーム３０との間に配される復帰バネ４０を弾発力が生じる状態に保持する復帰バネ支持部５５を備えるように設けられている。このプッシュアーム支持体５０は、図示した形態例では、支柱２０に対して蝶ボルト５６を用いて固定できる構成になっている。また、このプッシュアーム支持体５０において、支柱２０の長さ方向に直交する方向で後方へ張り出した形態に設けられたアーム支持部５２に配設された回動軸５１によって、プッシュアーム３０が回動可能に支持されている。なお、５４は開口であり、アーム支持部５２に復帰バネ４０が挿通できるように設けられている。
【００２３】
６０は足踏み操作部であり、踏み板６１が、踏み板支持部６２によって回動可能に支持された形態に設けられている。すなわち、踏み板支持部６２に設けられた回動軸５１に踏み板６１の先端部が回動可能に軸着され、その踏み板６１の他端側が、足踏みによって回動操作できる構造になっている。なお、図示した形態例においては、踏み板支持部６２の上面板部に装着され、下端が踏み板６１の上面へ長さ調整可能に当接できるように、その踏み板支持部６２の内部へ突き出ることができるように配設された圧力調整ネジ６３によって、踏み板６１の踏み込みストロークを調整できるように構成されている。
【００２４】
７０はリンクケーブルであり、アウターチューブ７２とそのアウターチューブ７２に挿通されたワイヤー７１とを有し、一方のワイヤーエンド７３がプッシュアーム３０に固定され、他方のワイヤーエンド７４が踏み板６１に固定されて配設されている。これによって、ワイヤー７１を引くように踏み板６１を踏み込むことで、これに連動されたプッシュアーム３０が回動し、プッシュ部３１がポンプボトル１０の操作部１１を押圧することができる機構になっている。
【００２５】
本考案に係るポンプボトル用足踏み操作機によれば、シンプルでコンパクトな形態で設置し易く且つ種々の形態や大きさのポンプボトルに容易に対応できるという特別有利な効果を奏する。すなわち、ポンプボトル１０の操作部１１を押圧するための機構が装着されて支持される基部になっている支柱２０は、ポンプボトル１０の長さサイズと比較して同等か若干長い程度であって短く、設置し易いシンプルでコンパクトな形態になっており、プッシュアーム支持体５０を、支柱２０の長さ方向について容易に位置調整できる構成となっているため、種々の形態や大きさのポンプボトルに容易に対応でき、その汎用性に優れているという顕著なメリットがある。
【００２６】
また、図１〜３に示す形態例では、復帰バネ支持部５５が、支柱２０の長さ方向におけるプッシュアーム支持体５０と一体に設けられているが、これに限定されるものではない。図４に示す形態例のように、復帰バネ支持部５５が、支柱２０の長さ方向におけるプッシュアーム支持体５０のアーム支持部５２に隣接する位置において位置調整可能に別体に設けられ、プッシュアーム３０との間に配される復帰バネ４０を弾発力が生じる状態に保持する構造としてもよい。なお、図１〜４に示す形態例では、プッシュアーム支持体５０のアーム支持部５２の下側に、復帰バネ支持部５５が隣接しており、図４の形態例では、その復帰バネ支持部５５が蝶ボルト（図示せず）によって支柱２０に固定される形態になっている。
【００２７】
これによれば、支柱２０に対して、ポンプボトル１０の操作部１１を押圧するための機構を適切且つ容易に装着できる。すなわち、このプッシュアーム支持体５０が、アーム支持部５２と復帰バネ支持部５５とに分割された構成によれば、復帰バネ４０を容易に装着できると共に、その復帰バネ４０の押圧力の調整や、種々のポンプボトルのサイズや形状に対応してプッシュ部３１の位置調整を容易に行うことができる。
【００２８】
また、図示した形態例では、復帰バネ４０がコイルスプリングであって、リンクケーブル７０の一方のワイヤーエンド７３の側のワイヤー７１がコイルスプリングの中心の空間に挿通されて配されている。これによれば、復帰バネ４０と、プッシュアーム支持体５０と、ワイヤー７１との装着形態について、作動力が合理的に作用するシンプルでコンパクトな形態になっており、使用し易く設置し易いという効果を奏する。
【００２９】
そして、図示した形態例のプッシュアーム支持体５０のアーム支持部５２及び復帰バネ支持部５５は、支柱２０の長さ方向において位置調整可能に、支柱２０に沿って移動できるようにその支柱２０に外嵌する環状部５３を備えている。すなわち、この環状部５３は、アーム支持部５２及び復帰バネ支持部５５のそれぞれを、支柱２０に装着するための基部となっている。なお、図４に示した形態例では、環状部５３ａ、５３ｂが別体に設けられており、図１〜３及び５〜８に示した形態例では、図４に示した環状部５３ａ及び５３ｂが一体に設けられた形態に相当する環状部５３となっている。
【００３０】
これによれば、プッシュアーム支持体５０のアーム支持部５２及び復帰バネ支持部５５の支柱２０における長手方向の位置を容易に調整することができる。なお、本形態例では、蝶ボルト５６を締め付けることで、プッシュアーム支持体５０及び復帰バネ支持部５５を支柱２０に容易に位置調整可能に固定することができる構成になっている。これによれば、種々の形態や大きさのポンプボトルに、容易に対応してセッティングすることができる。
【００３１】
また、本形態例では、支柱２０が角柱によって設けられ、プッシュアーム支持体５０のアーム支持部５２及び復帰バネ支持部５５の環状部５３が、支柱２０に外嵌する角筒状の角柱によって設けられている。これによれば、プッシュアーム支持体５０及び復帰バネ支持部５５が、支柱２０の軸心を中心に回動変位することを防止できると共に、その支柱２０の長手方向に位置を適切に変位させることができる。なお、支柱２０と環状部５３との嵌め合い関係は、環状部５３が適切にスライド移動できる状態で、ガタツキの小さい摺接状態であるとよい。
【００３２】
また、図１〜４に示す形態例では、支柱２０が、ポンプボトル１０が載置される台座８０に立設された状態に設けられている。これによれば、卓上に適切に配置することができ、操作部１１が上下に動作するポンプボトル１０（図４参照）を、台座８０の上に適切に設置できる。なお、この形態例では、支柱２０の下端部が、台座８０に対して、その長手方向に延びる軸線を中心にして角度変位可能に固定されるように設けられた支柱支持部２１を構成する角筒状の部位に、挿入されて蝶ボルト２２（図２参照）によって固定されることによって立設されている。これによっても、種々の形態や大きさのポンプボトルに、容易に対応してセッティングすることができる。なお、８１はアジャスタねじであり、傾き調整ができるように設けられている。
【００３３】
次に、図５〜８に示した形態例について、図１〜４に示した形態例と比較して異なる構成を中心に説明する。図１〜４に示した形態例と同等の構成については、図面上において同一の符号を付して説明を省略する。
【００３４】
この形態例では、支柱２０を支持するベース支持体８５が設けられ、そのベース支持体８５に、テーブルを構成する板状縁部に固定することができるクランプ８６が設けられている。これによれば、シンプルでコンパクトに構成することができ、種々の現場に対応して設置し易い形態になっている。
【００３５】
また、この形態例では、支柱２０に、ポンプボトル１０を保持するボトル保持体９０が装着されていることを特徴としている。このボトル保持体９０は、ポンプボトル１０に当接する保持部９１と、支柱２０に装着される基部となる環状部９２を備えている。そして、その環状部９２は、プッシュアーム支持体５０と同様に、支柱２０に外嵌する角筒状の角柱によって設けられ、蝶ボルト９４によって支柱２０に固定できる形態となっている。これによれば、ボトル保持体９０が、支柱２０の軸心を中心に回動することを防止できると共に、その支柱２０の長手方向に位置を適切に変位させることができる。
【００３６】
この形態例のボトル保持体９０によれば、ポンプボトル１０の一例であってレバーを握り締めることでポンプ動作を生じさせる握りしめタイプのスプレーボトル１０Ａの頭部を、保持部９１と固定片９３とによって挟む込み、そのスプレーボトル１０Ａを保持することができる構成になっている。なお、スプレーボルト１０Ａの保持方法は、これに限定されず、既知の保持手段を適宜選択的に用いることができるのは勿論である。
【００３７】
また、この形態例では、支柱２０が、角度調整可能にベース支持体８５に固定されている。これによれば、ポンプボトル１０の一例である握りしめタイプのスプレーボトル１０Ａの噴出口１２を適切な角度に設置することができる。また、これによれば、種々の設置場所に対応すると共に、種々の形態や大きさのスプレーボトル１０Ａを含むポンプボトル１０に適切に対応し、そのポンプボトル１０を容易にセッティングすることができる。
【００３８】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００３９】
１０  ポンプボトル
１０Ａ  スプレーボトル
１１  操作部
１２  噴出口
２０  支柱
２１  支柱支持部
２２  蝶ボルト
３０  プッシュアーム
３１  プッシュ部
３２  蝶ボルト
４０  復帰バネ
５０  プッシュアーム支持体
５１  回動軸
５２  アーム支持部
５３  環状部
５３ａ  環状部
５３ｂ  環状部
５４  開口
５５  復帰バネ支持部
５６  蝶ボルト
６０  足踏み操作部
６１  踏み板
６２  踏み板支持部
６３  圧力調整ネジ
７０  リンクケーブル
７１  ワイヤー
７２  アウターチューブ
７３  一方のワイヤーエンド
７４  他方のワイヤーエンド
８０  台座
８１  アジャスタねじ
８５  ベース支持体
８６  クランプ
９０  ボトル保持体
９１  保持部
９２  環状部
９３  固定片
９４  蝶ボルト
【図１】
0003230545.tif 000003
【図２】
0003230545.tif 000004
【図３】
0003230545.tif 000005
【図４】
0003230545.tif 000006
【図５】
0003230545.tif 000007
【図６】
0003230545.tif 000008
【図７】
0003230545.tif 000009
【図８】
0003230545.tif 000010